(57)【要約】【課題】各種手操作用具の把持操作部を構成するグリップにおいて、グリップ本来の外観デザインを損なうことなく、十分な滑り止め機能を備えた構造のグリップを提供する。【解決手段】グリップ２０は、硬質材料からなるグリップ本体１０の表面部のうち、人間工学的に把持力の作用する部位が滑り止め層１１(１１ａ、１１ｂ、１１ｃ)により被覆形成されてなることにより、従来一般のこの種グリップの外観デザインや形状寸法をそのまま維持したまま、十分な滑り止め機能を発揮することができ、安全であり、女性や老人など手指の把持力の弱い人が使用するステッキ用のグリップとしても最適である。【選択図】図６
2008067796.tif 000002
【特許請求の範囲】
【請求項１】
各種手操作用具の把持操作部を構成するグリップであって、
グリップ本体の外周表面部において、少なくとも人間工学的に把持力の作用する部位が摩擦係数の高い滑り止め層により被覆形成されてなる
ことを特徴とするグリップ。
【請求項２】
各種ステッキの把持操作部を構成するグリップであって、
グリップ本体の外周表面部において、少なくとも人間工学的に把持力の作用する部位が摩擦係数の高い滑り止め層により被覆形成されてなる
ことを特徴とするグリップ。
【請求項３】
前記グリップ本体が硬質材料から形成されるとともに、前記滑り止め層が弾性を有する軟質材料から形成されている
ことを特徴とする請求項１または２に記載のグリップ。
【請求項４】
前記グリップ本体を構成する硬質材料が熱可塑性樹脂であることを特徴とする請求項３に記載のグリップ。
【請求項５】
前記滑り止め層を構成する軟質材料が熱可塑性エラストマーであることを特徴とする請求項３に記載のグリップ。
【請求項６】
前記グリップ本体を構成する硬質材料が熱可塑性樹脂であるとともに、前記滑り止め層を構成する軟質材料が熱可塑性エラストマーであり、
前記グリップ本体と滑り止め層は、射出成形により一体成形されてなる
ことを特徴とする請求項３に記載のグリップ。
【請求項７】
前記グリップ本体の外周表面全体が、前記滑り止め層により被覆形成されてなる
ことを特徴とする請求項１から６のいずれか一つに記載のグリップ。
【請求項８】
前記グリップ本体の外周表面全体が、均一な厚さ寸法を有する前記滑り止め層により被覆形成されてなる
ことを特徴とする請求項７に記載のグリップ。
【請求項９】
前記グリップ本体の外周表面のうち、人間工学的に把持力の作用する部位を被覆形成する前記滑り止め層の厚さ寸法が他の部位よりも大きく設定されて、使用者の手指の把持により弾性変形する構造とされている
ことを特徴とする請求項７に記載のグリップ。
【請求項１０】
前記グリップ本体の外周表面のうち、人間工学的に把持力の作用する部位のみが前記滑り止め層により被覆形成され、
この滑り止め層の厚さ寸法は、使用者の手指の把持により弾性変形可能な程度の大きさに設定されている
ことを特徴とする請求項１から６のいずれか一つに記載のグリップ。
【請求項１１】
長尺な棒状のステッキ本体と、このステッキ本体の上端部に一体的に設けられたグリップとを備えてなるステッキであって、
前記グリップが請求項２から１０のいずれか一つに記載のグリップから構成されている
ことを特徴とするステッキ。
【発明の詳細な説明】
【技術分野】
【０００１】
本発明はグリップに関し、さらに詳細には、特に各種ステッキの把持操作部であるグリップとして好適に使用されるグリップの構造に関する。
【背景技術】
【０００２】
例えば、手操作用具の代表であるステッキには、一般用、礼装用、スポーツ用、登山用、介護用および盲人用などの種々の用途のもの、あるいは一本式、折畳み式および長さ調節式などの種々の構造のものがあるところ、その把持操作部であるグリップの外観デザインや構造は、これらステッキを選定するための重要な要素の一つとなっている。
【０００３】
すなわち、グリップは、手指にてステッキ自体を取扱い操作するとともに、使用者自身の体を支える部分であることから、その形状寸法が握り易いもの、つまり、使用者の手のひらサイズに適合するとともに、正しく握り把持できるものであり、さらには表面が滑りにくいものでなければならない。特に、女性や老人など手指の把持力の弱い人が使用するステッキにおいては、このグリップの構造は最重要である。
【０００４】
一方、グリップは、その外観デザインがステッキ全体のデザインを決定付ける要素でもあることから、従来から種々の装飾的工夫がなされており、中には、この外観デザインが重視されるあまり、グリップの本来的機能である握り易さなどがある程度犠牲になっている場合もある。
【０００５】
この点に関して、例えば、特許文献１に記載されるような滑り止め機能を有するグリップ用のカバーも提案されており、これを一般市販の各種ステッキに被覆装着することで、グリップに滑り止め機能を付与することができる。
【特許文献１】特開２００１−３７５１２号公報
【発明の開示】
【発明が解決しようとする課題】
【０００６】
しかしながら、このようなカバーを使用すると、グリップ本来の外観デザインが隠れてしまうことはもちろん、その形状寸法自体も変わってしまい、却ってグリップ本来の機能を低減させ、あるいは機能を喪失してしまうという問題を生じる場合があった。
【０００７】
以上のような問題は、他の同様な手操作用具のグリップにおいても共通する問題であり、その改良が要望されていた。
【０００８】
本発明は、かかる従来の問題点に鑑みてなされたものであって、その目的とするところは、各種手操作用具の把持操作部を構成するグリップにおいて、グリップ本来の外観デザインを損なうことなく、十分な滑り止め機能を有する構造を備えるグリップを提供することにある。
【課題を解決するための手段】
【０００９】
上記目的を達成するため、本発明のグリップは、グリップ本体の外周表面部において、少なくとも人間工学的に把持力の作用する部位が摩擦係数の高い滑り止め層により被覆形成されてなることを特徴とする。
【００１０】
好適な実施態様として、以下の構成が採用される。
（１）上記グリップ本体が硬質材料から形成されるとともに、上記滑り止め層が弾性を有する軟質材料から形成されている。
【００１１】
（２）上記グリップ本体を構成する硬質材料が熱可塑性樹脂である。
【００１２】
（３）上記滑り止め層を構成する軟質材料が熱可塑性エラストマーである。
【００１３】
（４）上記グリップ本体を構成する硬質材料が熱可塑性樹脂であるとともに、上記滑り止め層を構成する軟質材料が熱可塑性エラストマーであり、上記グリップ本体と滑り止め層は、射出成形により一体成形されてなる。
【００１４】
（５）上記グリップ本体の外周表面全体が、上記滑り止め層により被覆形成されてなる。
【００１５】
（６）上記グリップ本体の外周表面全体が、均一な厚さ寸法を有する上記滑り止め層により被覆形成されてなる。
【００１６】
（７）上記グリップ本体の外周表面のうち、人間工学的に把持力の作用する部位を被覆形成する上記滑り止め層の厚さ寸法が他の部位よりも大きく設定されて、使用者の手指の把持により弾性変形する構造とされている。
【００１７】
（８）上記グリップ本体の外周表面のうち、人間工学的に把持力の作用する部位のみが上記滑り止め層により被覆形成され、この滑り止め層の厚さ寸法は、使用者の手指の把持により弾性変形可能な程度の大きさに設定されている。
【００１８】
また、本発明のステッキは、長尺な棒状のステッキ本体と、このステッキ本体の上端部に一体的に設けられたグリップとを備えてなり、このグリップが上述したグリップから構成されていることを特徴とする。
【発明の効果】
【００１９】
本発明によれば、グリップ本体の外周表面部において、少なくとも人間工学的に把持力の作用する部位が摩擦係数の高い滑り止め層により被覆形成されてなるから、グリップ本来の外観デザインを損なうことなく、十分な滑り止め機能を有する構造を備えたグリップを提供することができる。
【００２０】
すなわち、例えば、各種ステッキにおいて、その把持操作部であるグリップは、手指にてステッキ自体を取扱い操作するとともに、使用者自身の体を支える部分であることから、その形状寸法が握り易いもの、つまり、使用者の手のひらサイズに適合するとともに、正しく握り把持できるものであり、さらには表面が滑りにくいものでなければならないところ、少なくとも人間工学的に把持力の作用する部位が摩擦係数の高い滑り止め層により被覆形成されてなることにより、従来一般のこの種グリップの外観デザインや形状寸法をそのまま維持したまま、十分な滑り止め機能を発揮することができ、安全であり、女性や老人など手指の把持力の弱い人が使用するステッキ用のグリップとしても最適である。
【００２１】
また、上記滑り止め層の厚さ寸法が、使用者の手指の把持により弾性変形可能な程度の大きさに設定されていることにより、使用者の手指の把持力に応じて、グリップ本体の外形が使用者の手指の把持形状に対応して変形する結果、使用者はグリップを自身の手指を完全に密着させた状態で把持することができ、個々の使用者に最適な握り姿勢を取ることができる。
【００２２】
さらに、上記グリップ本体を構成する硬質材料が熱可塑性樹脂であるとともに、上記滑り止め層を構成する軟質材料が熱可塑性エラストマーであり、上記グリップ本体と滑り止め層が射出成形により一体成形されてなる構造とされることにより、量産に適した構造で、製造コストさらには製品コストの低減化を図ることができる。
【発明を実施するための最良の形態】
【００２３】
以下、本発明の実施形態を図面に基づいて詳細に説明する。なお、図面全体にわたって同一の符号は同一の構成部材または要素を示している。
【００２４】
実施形態１
本発明に係るグリップを図１〜図５に示し、このグリップ１は、具体的には、図５に示すステッキ２のグリップを構成するものである。
【００２５】
このステッキ２の基本構造は従来周知の一般的なもので、長尺な棒状のステッキ本体３と、このステッキ本体３の上端部に一体的に設けられた上記グリップ１と、ステッキ本体３の下端部に一体的に設けられた滑り止め部４とを主要部として備えてなる。
【００２６】
上記ステッキ本体３は、具体的には図示しないが、その構成シャフト５ａ、５ｂ、５ｃ、５ｄが各関節部６ａ、６ｂ、６ｃ、６ｄで折曲可能な折畳み式構造とされるとともに、上端部分の長さ調整部３ａが伸縮調整可能な構造とされている。上記構成シャフト５ａ〜５ｅはアルミニウム等の軽金属からなる中空円筒パイプの形態とされている。また、滑り止め部４は、ゴム製のキャップ形状とされ、ステッキ本体３の下端部に嵌合装着されている。
【００２７】
グリップ１は、ステッキ本体３の上端部に一体的に固定されるもので、使用者の握り易さを考慮した形状寸法とされている。具体的には、図２（ａ）に示すような正面形状と図３（ａ）に示すような平面形状を有するグリップ１とされて、使用者の手指７でグリップ１を握った際に（図１および図２（ａ）参照）、手のひら７ａ全体がグリップ１の外周面に包み込むように密着するとともに、５本の指７ｂ〜７ｆでグリップ１をしっかりと確実に把持できる形状寸法とされている。
【００２８】
また、グリップ１の下側部位には、上記ステッキ本体３の上端部３ｂに接続される接続部１ａが設けられており、この接続部１ａとステッキ本体３の上端部３ｂとの接続固定には、具体的には図示しないが、雌ネジ部と雄ネジ部による螺合固定、接着剤による接着固定、あるいはこれら両者による固定など、適宜の固定手段が選択的に採用される。
【００２９】
グリップ１は、硬質材料からなるグリップ本体１０と、このグリップ本体１０の表面部のうち、少なくとも人間工学的に把持力の作用する部位が滑り止め層１１により被覆形成されてなり、図示の実施形態においては、図２（ｂ）および図３（ｂ）に示すように、グリップ本体１０の全周面にわたって上記滑り止め層１１が被覆形成されてなる。
【００３０】
グリップ本体１０を構成する硬質材料としては、ステッキ１用の把持操作部としての強度を有する材料が採用され、例えば、多量生産可能な射出成形に適したＡＳ樹脂、ＡＢＳ樹脂およびＰＰ樹脂等の熱可塑性樹脂、かりん、けやき、スネークウッド、黒檀および紫檀等の自然木、チタン、ステンレス鋼、アルミニウムおよびアルミニウム軽合金等の金属などが好適に用いられ、図示の実施形態においては、多量生産に適したＰＰ樹脂が使用されている。
【００３１】
滑り止め層１１の構成材料としては、摩擦係数の高い軟質材料が採用され、好適には弾性を有する軟質材料、例えば、熱可塑性エラストマー（Thermoplastic Elastomers：ＴＰＥ）およびゴム等が用いられ、図示の実施形態においては、多量生産可能な射出成形に適したＴＰＥが使用されている。ＴＰＥとしては、スチレン系(SBC)、オレフィン系(TPO)、塩ビ系(TPVC)およびウレタン系(PU)等、目的に応じて選択される。
【００３２】
そして、図示の実施形態のグリップ１は射出成形により一体成形され、具体的には、上記２種類の材料を用いて、グリップ本体１０、続いて滑り止め層１１と順次一体に成形するいわゆる二色成形（ダブルモールド）法により成形される。
【００３３】
このようにして一体成形されたグリップ１において、上記滑り止め層１１は、グリップ１全周にわたり均一な厚さ寸法Ｔｏとされ、この厚さ寸法Ｔｏは、好ましくは１ｍｍ〜２ｍｍに設定され、図示の実施形態においてはほぼ１ｍｍに設定されている。
【００３４】
しかして、以上のように構成されたグリップ１を備えるステッキ２の使用に際しては、使用者が、図１に示すように手指７によりグリップ１全周を全体的につかむようにして握り、ステッキ本体３の先端部の滑り止め４で地面等を突きながら歩行するところ、グリップ１は、グリップ本体１０の外周表面全体が摩擦係数の高い滑り止め層１１により被覆形成されてなるから、十分な滑り止め機能を有し、使用上安全である。
【００３５】
すなわち、上記グリップ１は、手指にてステッキ２自体を取扱い操作するとともに、使用者自身の体を支える部分であることから、その形状寸法が上述したように手指７にて握り易いもの、つまり、使用者の手のひらサイズに適合するとともに、正しく握り把持できるものであり、さらには表面が滑りにくいものでなければならないところ、本実施形態のグリップ１にあっては、人間工学的に把持力の作用する部位はもちろんのこと、グリップ１の外周全体が摩擦係数の高い滑り止め層１１により被覆形成されているから、従来一般のこの種グリップの外観デザインや形状寸法をそのまま維持したまま、十分な滑り止め機能を発揮することができ、安全であり、女性や老人など手指の把持力の弱い人が使用するステッキ用のグリップとしても最適である。
【００３６】
さらに、上記グリップ本体１０を構成する硬質材料が熱可塑性樹脂であるとともに、上記滑り止め層１１を構成する軟質材料が熱可塑性エラストマー（ＴＰＥ）であり、これらグリップ本体１０と滑り止め層１１が射出成形により一体成形されてなる構造とされているから、量産に適した構造で、製造コストさらには製品コストの低減化を図ることができる。
【００３７】
実施形態２
本実施形態は図６に示されており、実施形態１が改変されたものである。
【００３８】
すなわち、実施形態１のグリップ１においては、グリップ本体１０の全周面にわたって上記滑り止め層１１が均一の厚さ寸法をもって被覆形成されていたが、本実施形態のグリップ２０においては、図６（ａ）〜（ｃ）に示すように、実施形態１のグリップ１の構造に加えて、グリップ本体１０の外周表面のうち、人間工学的に把持力の作用する部位を被覆する上記滑り止め層１１の厚さ寸法が他の部位よりも大きく設定されて、使用者の手指７の把持により弾性変形する構造とされている。
【００３９】
具体的には、図６（ａ）の正面形状における上下面部位において、使用者の手指７でグリップ１を握った際に（同図の仮想線参照）、手のひら７ａが把持密着する滑り止め層１１の部位１１ａの厚さ寸法Ｔａ、親指７ｂおよび人差し指７ｃが把持密着する滑り止め層１１の部位１１ｂの厚さ寸法Ｔｂ、および中指７ｄ、薬指７ｅおよび小指７ｆが把持密着する滑り止め層１１の部位１１ｃの厚さ寸法Ｔｃが、それぞれ他の部位よりも大きく設定されている。
【００４０】
特に、手のひら７ａが把持密着する滑り止め層１１の部位１１ａは、使用者の体重が直接かかる部位であるため、その厚さ寸法Ｔａを適宜調整することにより、この部位１１ａの弾力性を確保するとともに、使用者の手のひら７ａが把持密着する度合いを最適値に設定する。このように構成することにより、使用者が安定したグリップ１の把持密着感を得て、安心度の高いステッキ操作を確保することができる。また、軟質の滑り止め層１１が備える弾力性により、硬質のグリップ本体１０を手のひら７ａで直接把持して使用者の体重を支える場合に比較して、手のひら７ａに感じる痛みを軽減させることができる。ちなみに、実験によれば、使用者がステッキ２を使用することにより、片脚にかかる体重を最大で約２／３に減らすことが可能となるとのデータがある。
【００４１】
これら滑り止め層１１の各部位１１ａ、１１ｂ、１１ｃの厚さ寸法Ｔａ、Ｔｂ、Ｔｃは、試験的に得られた平均的把持力を有する使用者の手指７によりグリップ１を握った際の、手指７とグリップ１との密着変形度等を考慮して適宜設定され、図示の実施形態においては、滑り止め層１１の部位１１ａの厚さ寸法Ｔａが３〜７ｍｍ、部位１１ｂの厚さ寸法Ｔｂが２〜６ｍｍ、部位１１ｃの厚さ寸法Ｔｃが２〜４ｍｍ、およびその他の部位が１〜２ｍｍに設定されている。
【００４２】
なお、グリップ本体１０の外周全体の滑り止め層１１の厚さ寸法を、上記部位１１ａ、１１ｂおよび１１ｃと同様に大きく設定することも考えられるが、このようにグリップ１の外周部全体が軟質材料で形成されると、特に、流通搬送時などにおいて、多数本のステッキ２、２、…が積層状にまとめられる結果、上側のステッキ２、２、…の荷重負荷により、下側のステッキ２、２、…のグリップ１の表面が部分的に凹んでしまい、その結果、商品価値を損なうなどの不具合が生じるおそれがある。
【００４３】
この点からも、本実施形態のグリップ２０のように、グリップ本体１０の外周表面のうち、人間工学的に把持力の作用する部位を被覆する上記滑り止め層１１（１１ａ〜１１ｃ）の厚さ寸法Ｔａ〜Ｔｃが他の部位の厚さ寸法Ｔｏよりも大きく設定される構成が、上記不具合も生じにくく望ましい。
【００４４】
しかして、以上のように滑り止め層１１の厚さ寸法Ｔａ〜Ｔｃが、他の部位よりも大きく設定されて、使用者の手指７の把持により弾性変形可能な程度の大きさに設定されていることにより、使用者の手指７の把持力に応じて、グリップ本体１０の外形が使用者の手指７の把持形状に対応して変形する結果、使用者はグリップ１を自身の手指を完全に密着させた状態で把持することができ、個々の使用者に最適な握り姿勢を取ることができ、ひいて個々の使用者の手指７の把持力に応じて十分な滑り止め効果が発揮され得る。
その他の構成および作用は実施形態１と同様である。
【００４５】
実施形態３
本実施形態は図７に示されており、実施形態２がさらに若干改変されたものである。
【００４６】
すなわち、本実施形態のグリップ３０においては、実施形態２のグリップ２０における滑り止め層１１の厚さ寸法の設定に加えて、図７（ａ）〜（ｃ）に示すように、さらに図７（ｂ）の平面形状における前後面部位において、使用者の手指７でグリップ１を握った際に（７（ａ）図の仮想線参照）、手のひら７ａが把持密着する滑り止め層１１の部位１１ｄ（図７（ａ）における背面側部位）の厚さ寸法Ｔｄ、および中指７ｄ、薬指７ｅおよび小指７ｆの指先が把持密着する滑り止め層１１の部位１１ｅ（図７（ａ）における前面側部位）の厚さ寸法Ｔｅも、それぞれ他の部位よりも大きく設定されている。
【００４７】
これら滑り止め層１１の各部位１１ｄ、１１ｅの厚さ寸法Ｔｄ、Ｔｅは、上述した各部位１１ａ〜１１ｃの厚さ寸法Ｔａ〜Ｔｃと同様に、試験的に得られた平均的把持力を有する使用者の手指７によりグリップ１を握った際の、手指７とグリップ１との密着変形度等を考慮して適宜設定され、図示の実施形態においては、滑り止め層１１の部位１１ｄおよび１１ｅの厚さ寸法ＴｄおよびＴｅがいずれも２〜４ｍｍに設定されている。
その他の構成および作用は実施形態２と同様である。
【００４８】
実施形態４
本実施形態は図８に示されており、実施形態２がさらに改変されたものである。
【００４９】
すなわち、実施形態２のグリップ２０においては、グリップ本体１０の全周面にわたって上記滑り止め層１１が均一の厚さ寸法をもって被覆形成されるとともに、グリップ本体１０の外周表面のうち、人間工学的に把持力の作用する部位を被覆する上記滑り止め層１１の厚さ寸法Ｔａ〜Ｔｃが他の部位よりも大きく設定されていたが、本実施形態のグリップ４０においては、上記グリップ本体１０の外周表面のうち、人間工学的に把持力の作用する部位のみが上記滑り止め層１１により被覆形成されるとともに、その他の部位はグリップ本体１０の構成材料が露出してグリップ４０の外周表面を形成している。
【００５０】
すなわち、本実施形態のグリップ４０においては、図８（ａ）〜（ｃ）に具体的に示すように、図８（ａ）の正面形状において、使用者の手指７でグリップ４０を握った際に（同図の仮想線参照）、手のひら７ａが把持密着する上面部位４０ａ、親指７ｂおよび人差し指７ｃが把持密着する部位４０ｂ、および中指７ｄ、薬指７ｅおよび小指７ｆが把持密着する部位４０ｃのみに、上記滑り止め層１１ａ、１１ｂおよび１１ｃが、それぞれ被覆形成されている。
【００５１】
これら滑り止め層１１ａ〜１１ｃの厚さ寸法Ｔａ〜Ｔｃの設定条件は、使用者の手指の把持により弾性変形可能な程度の大きさに設定されることであり、具体的には実施形態２と同様に設定されている。
【００５２】
しかして、以上のように、グリップ本体１０の外周表面のうち、人間工学的に把持力の作用する部位のみが滑り止め層１１（１１ａ〜１１ｃ）により被覆形成されるとともに、その他の部位はグリップ本体１０の構成材料が露出する構成とされることにより、グリップ本体１０の構成材料自体の色彩および模様等と滑り止め層１１（１１ａ〜１１ｃ）の構成材料自体の色彩等とのコントラストなどにより、グリップ４０の外表面に種々の装飾効果を付与することができる。特に、グリップ本体１０を構成する硬質材料として、かりん、けやき、スネークウッド、黒檀および紫檀等の自然木、チタン、ステンレス鋼、アルミニウムおよびアルミニウム軽合金等の金属など、滑り止め層１１ａ〜１１ｃと異種の材料を用いると顕著な装飾効果が得られる。
その他の構成および作用は実施形態２と同様である。
【００５３】
なお、上述した実施形態１〜４はあくまでも本発明の好適な実施態様を示すものであって、本発明はこれに限定されることなく、その範囲内で種々の設計変更が可能である。
【００５４】
例えば、グリップ１の形状等の具体的構造は、図示の実施形態に限定されず、従来周知の他の形状も採用可能である。特に、滑り止め層１１の厚さ寸法は、対象となる使用者の性別や年齢等に対応して、またステッキ２の用途に対応して適宜設定され得る。
【００５５】
また、本発明は、図示のようなステッキ２のグリップ１、２０、３０、４０の他、具体的には図示しないが、老人等が買い物用等に使用するいわゆるシルバーカー、あるいは車椅子などの各種手操作用具の把持操作部を構成するグリップにも適用可能である。
【図面の簡単な説明】
【００５６】
【図１】本発明の実施形態１であるステッキのグリップを手指にて握り把持する状態を示す斜視図である。
【図２】同グリップを示し、図２（ａ）は正面図、図２（ｂ）は正面断面図である。
【図３】同じく同グリップを示し、図３（ａ）は平面図、図３（ｂ）は平面断面図である。
【図４】同じく同グリップを示す図２（ａ）、（ｂ）および図３（ａ）、（ｂ）におけるＡ−Ａ線に沿った断面図である。
【図５】同グリップを備えるステッキを示す正面図である。
【図６】本発明の実施形態２であるステッキのグリップを示し、図６（ａ）は正面断面図、図６（ｂ）は平面断面図、図６（ｃ）は図６（ａ）、（ｂ）におけるＢ−Ｂ線に沿った断面図である。
【図７】本発明の実施形態３であるステッキのグリップを示し、図７（ａ）は正面断面図、図７（ｂ）は平面断面図、図７（ｃ）は図７（ａ）、（ｂ）におけるＣ−Ｃ線に沿った断面図である。
【図８】本発明の実施形態４であるステッキのグリップを示し、図８（ａ）は正面図、図８（ｂ）は平面図、図８（ｃ）は図８（ａ）、（ｂ）におけるＤ−Ｄ線に沿った断面図である。
【符号の説明】
【００５７】
Ｔ（Ｔａ〜Ｔｆ）                滑り止め層の厚さ寸法
１                              グリップ
２                              ステッキ
３                              ステッキ本体
４                              滑り止め部
７                              使用者の手指
７ａ                            手のひら
７ｂ〜７ｆ                      指
１０                            グリップ本体
１１                            滑り止め層
２０、３０、４０                グリップ
【図１】
2008067796.tif 000003
【図２】
2008067796.tif 000004
【図３】
2008067796.tif 000005
【図４】
2008067796.tif 000006
【図５】
2008067796.tif 000007
【図６】
2008067796.tif 000008
【図７】
2008067796.tif 000009
【図８】
2008067796.tif 000010